(57)【特許請求の範囲】
【請求項１】
駆動装置の回転軸によって軸回り駆動される指針と、
この指針に対応した計測値表示部を有する目盛板と、
少なくともその一部が前記目盛板上に位置し前記指針の外周を取り巻くリング状の透光部材と、
この透光部材を発光させる光源とを備え、
前記透光部材の少なくとも内周側面に、中心側に光を放射する照射部を設け、
前記目盛板に、前記回転軸付近から外側に延在する第１の板面部とこの第１の板面部を取り巻いて背後に延びるリング状の第２の板面部とを設け、
前記第２の板面部を前記照射部に対向配置し、
前記目盛板が前記第１の板面部と前記第２の板面部とで色の異なる地色部を有し、前記第１の板面部に設けられる地色部の色よりも前記第２の地色部の色を光反射率の高い色に設定したことを特徴とする計器装置。
【請求項２】
前記透光部材が前記照射部に対向する外周側面に、前記照射部側に光を反射する反射部を設けたことを特徴とする請求項１記載の計器装置。
【請求項３】
前記透光部材の内周側面が少なくとも前記第１の板面部を超えて前方側に延び、前記照射部よりも前方側に位置する内周側面に遮光部を設けたことを特徴とする請求項１もしくは請求項２記載の計器装置。
【請求項４】
前記指針と前記計測値表示部とでなる指針式表示部を複数有すると共にこれら指針式表示部の各々に対応して前記透光部材の前記照射部、前記目盛板の前記第１，第２の板面部を設けたことを特徴とする請求項１から請求項３のうち何れか一つに記載の計器装置。
【発明の詳細な説明】
【０００１】
【発明の属する技術分野】
本発明は、例えばオートバイや自動車をはじめとする各種車両に搭載されるメータ装置に関し、詳しくはその照明構造に係わるものである。
【０００２】
【従来の技術】
各種車両に搭載されるメータ装置は、回路基板に回転軸を突設した計器本体を装着し、回転軸の先端に指針を装着し、この指針の背後に、指針に対応して複数配列される透光性の計測値表示部とこれら透光性表示部の背景となる遮光性の地色部とを有する目盛板を配置し、この目盛板の背後に配置した光源により、目盛板の計測値表示部を透過照明する構造が一般的である。
【０００３】
この種メータ装置は、通常、複数種の計測値の指針式表示を可能とするため、複数の計器本体にて駆動される複数の指針とこれら各指針に応じた複数の計測値表示部とでなる複数種の指針式表示部、例えば速度計，回転計，水温計，燃料計からなる指針式表示部を有し、これら複数種の指針式表示部を照明する際、その視認性、識別性、デザイン性等を向上させる目的から、各指針式表示部に指針の回転軌道に対応したリング状発光部を設けるものが例えば特開平１０−２０７４０８号公報にて知られている。
【０００４】
当該公報に開示のものは、リング状導光体を用いて指針先端の回転軌道に対応したライン状の発光部を形成するもので、発光部自体をシャープ（明確）に表現できる点では優れるものの、単調で平面的な照明意匠とならざるを得ないという事情がある。
【０００５】
一方、本件出願人は、リング状導光体から放射される光を筒状に設けた遮光部材の内周面で反射させてリング状発光部を形成する、間接照明タイプの照明構造を特開平９−６８４４２号公報にて提案している。かかる構造によれば、遮光部材内周面のライトアップ照明によりリング状発光部が形成されるため、明暗のグラデーションによる立体的なリング状発光部を形成することができる。
【０００６】
【発明が解決しようとする課題】
しかしながら、前掲特開平９−６８４４２号公報のリング照明構造は、目盛板ではなくその周囲前方に配置された遮光部材をライトアップ照明してリング状発光部を形成し、このライトアップ照明によるリング状発光部を目盛板の手前側（前方）に表示するだけであるため、目盛板の照明に立体感を持たせることまでは不可能であった。
本発明はこの点に鑑みてなされたものであり、その主な目的は、リング状発光部を通じて目盛板の照明意匠に立体感を付与し得る計器装置を提供するものである。
【００１０】
【課題を解決するための手段】
本発明は、駆動装置の回転軸によって軸回り駆動される指針と、この指針に対応した計測値表示部を有する目盛板と、少なくともその一部が前記目盛板上に位置し前記指針の外周を取り巻くリング状の透光部材と、この透光部材を発光させる光源とを備え、前記透光部材の少なくとも内周側面に、中心側に光を放射する照射部を設け、前記目盛板に、前記回転軸付近から外側に延在する第１の板面部とこの第１の板面部を取り巻いて背後に延びるリング状の第２の板面部とを設け、前記第２の板面部を前記照射部に対向配置し、前記目盛板が前記第１の板面部と前記第２の板面部とで色の異なる地色部を有し、前記第１の板面部に設けられる地色部の色よりも前記第２の地色部の色を光反射率の高い色に設定したことを特徴とする。
【００１１】
また本発明は、前記透光部材が前記照射部に対向する外周側面に、前記照射部側に光を反射する反射部を設けたことを特徴とする。
【００１２】
また本発明は、前記透光部材の内周側面が少なくとも前記第１の板面部を超えて前方側に延び、前記照射部よりも前方側に位置する内周側面に遮光部を設けたことを特徴とする。
【００１３】
また本発明は、前記透光部材が前記リング状発光部を取り巻く第２のリング状発光部を有することを特徴とする。
【００１４】
また本発明は、前記指針と前記計測値表示部とでなる指針式表示部を複数有すると共にこれら指針式表示部の各々に対応して前記透光部材の前記照射部、前記目盛板の前記第１，第２の板面部を設けたことを特徴とする。
【００１５】
【発明の実施の形態】
本発明による計器装置は、所定の駆動装置から突出する回転軸によって軸回り駆動される指針と、この指針に対応した例えば目盛や文字からなる計測値表示部を有する目盛板と、指針の外周を取り巻くリング状構造体からなり目盛板上に配置される透光部材と、この透光部材を発光させる光源とを備えており、透光部材の少なくとも内周側面には中心側に光を放射する照射部を設け、目盛板には指針の延長方向に沿って回転軸付近から外側に延在する第１の板面部とこの第１の板面部を取り巻いて背後に延びるリング状の第２の板面部とを設け、第２の板面部を照射部に対向配置したものである。このように構成したことにより、光源が点灯すると、その光が透光部材に供給されて透光部材が発光し、透光部材の内周側面に設けられた照射部を通じて中心側に光が放射され、この放射光によって目盛板の第２の板面部が光輝してリング状発光部を形成し、リング状発光部に包囲された第１の板面部が前方に浮き上がるように立体感、浮遊感を有して視認される。これによってリング状発光部を通じて目盛板の照明意匠に立体感を付与することができ、視認性、識別性、装飾性等の表示品質を向上させ、商品性を高めることができる。
【００１６】
また本発明による計器装置は、第２の板面部を第１の板面部に対して斜め背後方向に延びる傾斜面としたものである。これにより、透光部材の照射部から中心側に向かう光を良好に前方側に反射でき、第２の板面部を明るく照明することができる。なお第２の板面部は傾斜面として設けることが好ましいが、必ずしも傾斜面である必要はなく、照射部に対向する板面であれば、適宜設定が可能である。
【００１７】
また本発明による計器装置は、目盛板が第１の板面部と第２の板面部とで色の異なる地色部を有し、第１の板面部に設けられる地色部の色よりも第２の板面部に設けられる地色部の色を光反射率の高い色に設定したものである。これにより、第１の板面部よりも第２の板面部の光反射効率を高くし、第１の板面部に対して第２の板面部を明るく光輝させてコントラストを大きくし、第１の板面部の浮遊感、立体感を強調または助長することができる。
【００１８】
また本発明による計器装置は、透光部材の照射部に対向する外周側面に、照射部側に光を反射する反射部を設けたものである。これにより第２の板面部の照明効率を向上させることができる。
【００１９】
また本発明による計器装置は、透光部材の内周側面が少なくとも第１の板面部を超えて前方側に延びる構成で、照射部よりも前方側に位置する内周側面に遮光部を設けたものである。これにより、指針や第１の板面部側に光が放射されるのを抑制し、リング状発光部をより際だたせることができる。
【００２０】
また本発明による計器装置は、透光部材が第２の板面部を照明するだけでなく、それ自体が第２の板面部を取り巻いてリング状に発光するよう構成したものである。これにより第２の板面部を通じた反射光によるリング状発光部（第１のリング状発光部）に加えて、その外周に透光部材を通じた透過光によるリング状発光部（第２のリング状発光部）を形成でき、２重のリング状発光部により斬新で装飾性の優れた照明意匠を形成でき、商品性を高めることができる。なお第２の板面部に光を供給してリング状発光部を形成できれば、透光部材それ自体を視認者から不可視となるように配置することもできる。
【００２１】
また本発明による計器装置は、指針と計測値表示部とでなる指針式表示部を複数有すると共にこれら指針式表示部の各々に対応して透光部材の照射部、目盛板の第１，第２の板面部を設けたものである。これにより、各指針式表示部ごとの視認性、識別性、装飾性等の表示品質を向上させることができる。
【００２２】
【実施例】
以下、添付図面に基づき、本発明による計器装置の実施例を説明する。
【００２３】
図１及び図２は、本発明の実施例を示し、図１は計器装置の外観を示す正面図、図２は図１のＡ−Ａ線に沿った部分断面図である。
【００２４】
図１及び図２において、本実施例による計器装置は、回路基板１と、回転軸２が前方に延びる計器本体３と、回転軸２にて回転駆動される指針４と、この指針４の背後に位置する目盛板５と、この目盛板５の周囲に配置された透光部材６と、目盛板５と透光部材６を含む前方側を露出する見返し板７と、回路基板１に設けられた光源８と、目盛板５と回路基板１との間に配置される枠体９とから構成される。
【００２５】
回路基板１は、例えばガラスエポキシ系基材に配線パターン（図示せず）を施した硬質回路基板からなり、光源８と、例えば計器本体３の駆動・制御を行う駆動手段（図示せず）や例えば抵抗、コンデンサ等の各種回路部品（図示せず）が前記配線パターンに導通接続されている。
【００２６】
計器本体３は、可動磁石式計器またはステッピングモータからなり、回転軸２が回路基板１を貫通するように、その主要部が回路基板１の背後に装着され、且つ半田付け等の適宜導通手段により前記配線パターン（前記駆動手段）に電気接続される。
【００２７】
指針４は、透光性の合成樹脂からなり、回転軸２の先端に連結され、その回転中心部には遮光性カバーが装着されている。そしてこの指針４は光源８からの光を受けて発光する発光式指針である。
【００２８】
目盛板５は、回転軸２と指針４との連結を可能とする貫通孔５１と、指針４先端部の回動軌道に沿って複数配列される文字部５２ａ及び目盛部５２ｂでなる計測値表示部５２と、これら計測値表示部５２の背景となる地色部５３，５４と、光源８側となる背面に設けられる反射層５５を有し、計測値表示部５２は、文字部５２ａの外側に目盛部５２が位置するように各々が円弧状の配列形状を有して複数個配置されている。
【００２９】
これら計測値表示部５２、地色部５３，５４、反射層５５は、目盛板５のベース材となる基板（図示しない）の表面に形成された印刷層からなり、計測値表示部５２が適宜色を有する透光性インクにより、地色部５３，５４と反射層５５が遮光性インクにより、それぞれ印刷形成され、遮光性を有する地色部５３，５４と反射層５５は透光性を有する計測値表示部５２に対応する箇所を除く所定領域に設けられ、また反射層５５は光反射性の高い白色の色調を有している。
【００３０】
目盛板５はまた、その断面形状が前方側が突出する略凸形状に形成され、回転軸２付近となる貫通孔５１の周縁から外側に向けて延びる第１の板面部５６と、この第１の板面部を取り巻いて背後（枠体９または回路基板１側）に屈曲して延びる第２の板面部５７と、この第２の板面部５７から外周に向けて第１の板面部５６と平行に延びる第３の板面部５８とを有し、計測値表示部５２、地色部５３，５４、反射層５５を形成した平板状の前記基材を熱変形させて段部を設ける絞り加工、または予め段部を形成しておいた前記基材に計測値表示部５２、地色部５３，５４、反射層５５の箔を転写する箔成形により形成されている。
【００３１】
第１の板面部５６は、指針４の延長方向に沿って平面形状を有し、この部分に形成される地色部５３は、第２の板面部５６とその外周に形成される地色部５４とは異なる色に形成され、本実施例では例えば黒色に設定されている。
【００３２】
第２の板面部５７は、第１の板面部５６に対し所定角度、本実施例では略４５度背後に傾く傾斜面に形成され、透光部材６の後述する内周側面に対向し、透光部材６から放射される光を受け、その光を前方側に反射することによりリング状に光輝し、反射光による第１のリング状発光部Ｒ１を形成するものである。そして第２の板面部５７と第３の板面部５８に形成される地色部５４は、地色部５３の色よりも光反射率の高い色で形成され、本実施例では例えば金属調シルバー色に設定されている。
【００３３】
なおこれら第１，第２の板面部５６，５７のうち、第１の板面部５６には、計測量表示部５２を構成する文字部５２ａが形成され、第２の板面部５７には、計測量表示部５２を構成する目盛部５２ｂが形成されている。
【００３４】
また計測値表示部５２は、指針４と組み合わされて指針式表示部Ｄを構成するが、本実施例の場合、指針式表示部Ｄは、計測表示対象に応じて複数（図１中、左から燃料計表示部、回転計表示部、速度計表示部、水温計表示部）設けられている。
【００３５】
透光部材６は、例えば青色に着色された光透過性の合成樹脂からなり、指針４並びに目盛板５の外周を取り巻くリング状に形成されている。またこの透光部材６は、目盛板５の背後から目盛板５を越えて指針４と同程度まで延び、目盛板５の背後に位置し光源８からの光を受光する受光部６１と、この受光部６１に対向する受光反射部６２と、外周側面に位置し受光反射部６２に対向する反射部６３と、内周側面であって反射部６３と目盛板５の第２の板面部５７との間に位置し両者に対向する照射部６４と、前面側に位置し見返し板７より露出する円弧状の表面部６５と、この表面部６５と照射部６４との間に位置する内周側面に形成される遮光部６６とを有している。
【００３６】
このように構成された透光部材６は、光源８からの光が受光部６１に入光すると、受光部６１からの光を受光反射部６２で前方側に反射し、受光反射部６２で反射された光の一部を反射部６３を通じて照射部６４側に反射し、これにより照射部６４から透光部材６の中心側に向けて光が放射されるように設定されており、この放射光によって目盛板５の第２の板面部５７を光輝させ、文字部５２ａを取り巻く第１のリング状発光部Ｒ１を形成させるものである。また受光反射部６２を通じて導かれた光の一部は、反射部６３を経ずに前方側に進んで表面部６５から外部に放射（透過）するように設定されており、これにより目盛板５の第２の板面部５７による第１のリング状発光部Ｒ１の外側に、もう一つ別の第２のリング状発光部Ｒ２を形成するものである。
【００３７】
また遮光部６６は、遮光性塗料を塗布してなる遮光層、または透光部材６を構成する合成樹脂とは異なる遮光性合成樹脂よりなり、照射部６４よりも前方に位置する内周側面箇所から目盛板５の第１の板面部５６側に向かう光を遮断し、第１の板面部５６や指針４に当たる光を抑制するものである。
【００３８】
さらに遮光部６６を除く透光部材６の表面部６５と照射部６４の表面には、目盛板５の第２，第３の板面部５７，５８に形成される地色部５４の色と同色または同系色となる金属調シルバー色を有する半透過性着色層（図示しない）が被着されており、光源８の非点灯時には透光部材６と第２，第３の板面部５７，５８とが同色または同系色にて一体的に視認されるようになっている。
【００３９】
見返し板７は、透光部材６の一部とこれに囲まれた指針式表示部Ｄを露出し、それ以外の所要領域を隠蔽するもので、透光部材６に対応する箇所に開口部７１を備えている。
【００４０】
光源８は、回転軸２の周囲に複数個、集中的に配置された例えば表面実装型の発光ダイオードからなり、これら複数の光源８のうち、回転軸２を挟んで隣接する光源８は、指針４を照明するもので、これら光源８の外側に位置する光源８は、目盛板５の計測値表示部５２と透光部材６とを照明するものである。
【００４１】
枠体９は、例えば白色系の合成樹脂よりなり、目盛板５と回路基板１との間に位置して目盛板５を支持するケース体である。この枠体９には、指針式表示部Ｄと透光部材６に応じて反射部９１，９２が形成され、これら反射部９１，９２は、光源８からの光を主に外周に反射する第１の反射部９１と、第１の反射部９１側からの光を目盛板５及び透光部材６側に反射する第２の反射部９２とからなり、しかもこれら反射部９１，９２は、目盛板５の反射層５５との間で照明室を形成している。この際、目盛板５の反射層５５は、この反射層５５により光を前記照明室内に再反射させ、照明効率を高める機能を有している。なお本実施例では図２にて回転計表示部からなる指針式表示部Ｄを構成する計器部分の断面図のみを示したが、これに隣接する速度計表示部からなる指針式表示部Ｄを有する計器も回転計表示部からなる指針式表示部Ｄを構成する計器と同様の構成を有している。
【００４２】
このような構成において、光源８が発光すると、回転軸２に近接する光源８から発せられた光によって指針４が照明され、指針４が線状に発光する。また回転軸２に対し最も外側に配置された光源８から発せられた光は、前記照明室を通じて反射・拡散され、目盛板５の計測値表示部５２を照明すると共に、受光部６１を通じて透光部材６に導入され透光部材６を発光させる。
【００４３】
この際、透光部材６は前述のように青色に着色されているため、照射部６４より前記半透過性着色層（非照明時は金属調シルバー色）を通過して中心側に向かう光は青色となり、この青色の放射光を反射して光輝する第２の板面部５７（非照明時は金属調シルバー色）は、青色を帯びた第１のリング状発光部Ｒ１を形成する。また表面部６５より前記半透過性着色層（非照明時は金属調シルバー色）を通過して前方側に放射される光も青色となり、青色を帯びた第２のリング状発光部Ｒ２を形成する。これにより光源８の点灯、非点灯によって透光部材６を含む目盛板５の周縁部が全く異なる色にて視認されるため、照明意匠に斬新性、意外性、変化を与え、商品性を高めている。
【００４４】
一方、目盛板５の第１の板面部５６の地色部５３は黒色であり、この部分は照明されずに暗い黒色のままであり、第１の板面部５６は、青色を帯びた第１のリング状発光部Ｒ１に背後から包囲されるため、第１のリング状発光部Ｒ１からなる背景内を浮遊するように前方に浮かび上って視認される。
【００４５】
以上のように本実施例によれば、駆動装置３の回転軸２によって軸回り駆動される指針４と、この指針４に対応した計測値表示部５２を有する目盛板５と、指針４の外周を取り巻く透光部材６と、この透光部材６を発光させる光源８とを備えており、透光部材６に中心側に光を放射する照射部６４を設け、目盛板５には回転軸２付近から外側に延在する第１の板面部５６とこの第１の板面部５６を取り巻いて背後に延びるリング状の第２の板面部５７とを設け、第２の板面部５７を照射部６４に対向配置したことにより、第２の板面部５７を光輝させてリング状発光部Ｒ１を形成し、このリング状発光部Ｒ１で第１の板面部５６を背後から包囲して立体感、浮遊感を有して視認させ、これによってリング状発光部Ｒ１を通じて目盛板５の照明意匠に立体感を付与することができ、視認性、識別性、装飾性等の表示品質を向上させ、商品性を高めることができる。
【００４６】
また本実施例では、第２の板面部５７を第１の板面部５６に対して斜め背後方向に延びる傾斜面に設定したことにより、透光部材６の照射部６４から中心側に向かう光を良好に前方側に反射でき、第２の板面部５７を明るく照明することができる。なお本実施例では第２の板面部５６を一つの連続面として設けているが、背後に向かって階段状または多段状に延びる板面として形成することもできる。
【００４７】
また本実施例では、目盛板５が第１の板面部５６と第２の板面部５７とで色の異なる地色部５３，５４を有し、第１の板面部５６に設けられる地色部５３の色よりも第２の板面部５７に設けられる地色部５４の色を光反射率の高い色に設定したことにより、第１の板面部５６よりも第２の板面部５７の光反射効率を高くし、第１の板面部５６に対して第２の板面部５７を明るく光輝させてコントラストを大きくし、第１の板面部５６の浮遊感、立体感を強調または助長することができる。
【００４８】
また本実施例では、透光部材６の照射部６４に対向する外周側面に、照射部６４側に光を反射する反射部６３を設けたことにより、第２の板面部５７の照明効率を向上させることができる。
【００４９】
また本実施例では、透光部材６の内周側面が少なくとも第１の板面部５６を超えて前方側に延びており、照射部６４よりも前方側に位置する内周側面に遮光部６６を設けたことにより、指針４や第１の板面部５６側に光が放射されるのを抑制し、第１のリング状発光部Ｒ１をより際だたせることができる。
【００５０】
また本実施例では、透光部材６が第２の板面部５７を照明するだけでなく、それ自体が第２の板面部５７を取り巻いてリング状に発光するよう構成したことにより、第１のリング状発光部Ｒ１に加えて、その外周に透光部材６による第２のリング状発光部Ｒ２を形成でき、２重のリング状発光部により斬新で装飾性の優れた照明意匠を形成でき、商品性を高めることができる。
【００５１】
また本実施例では、指針４と計測値表示部５２とでなる指針式表示部Ｄを複数有すると共にこれら指針式表示部Ｄの各々に対応して透光部材６の前記照射部６４、目盛板５の第１，第２の板面部５６，５７を設けたことにより、各指針式表示部Ｄごとの視認性、識別性、装飾性等の表示品質を向上させることができる。
【００５２】
また本実施例では、透光部材６を連続するリング状に形成したが、部分的に破断または部分的にリング状となる構造体であればよく、さらに本実施例では透光部材６をリング状の専用部品として設けたが、他の透光性を有する部材、例えば目盛板５を照明する導光体（本実施例では採用されていない）の一部に連続して形成することもできる。さらに透光部材６に目盛や指標、文字、各種図形パターン等の付加表示部を設けることもできる。
【００５３】
また本実施例では、目盛板５の計測値表示部５２を照明する光源８によって透光部材６を発光させる場合を示したが、専用の光源を用いて発光させることもできる。
【００５４】
また透光部材６は複数に分割形成することもでき、例えば目盛板５の前方に位置する部分と目盛板５の背後に位置する部分とで分割形成したり、あるいは照射部６４を有する部分とリング状発光部を形成する部分とで分割形成することもできる。
【００５６】
【発明の効果】
本発明は、駆動装置の回転軸によって軸回り駆動される指針と、この指針に対応した計測値表示部を有する目盛板と、少なくともその一部が前記目盛板上に位置し前記指針の外周を取り巻くリング状の透光部材と、この透光部材を発光させる光源とを備え、前記透光部材の少なくとも内周側面に、中心側に光を放射する照射部を設け、前記目盛板に、前記回転軸付近から外側に延在する第１の板面部とこの第１の板面部を取り巻いて背後に延びるリング状の第２の板面部とを設け、前記第２の板面部を前記照射部に対向配置し、前記目盛板が前記第１の板面部と前記第２の板面部とで色の異なる地色部を有し、前記第１の板面部に設けられる地色部の色よりも前記第２の地色部の色を光反射率の高い色に設定したことにより、リング状発光部を通じて目盛板の照明意匠に立体感を付与し得る計器装置を提供できる。
【図面の簡単な説明】
【図１】本発明の実施例による計器装置の正面図。
【図２】図１のＡ−Ａ線に沿った断面図。
【符号の説明】
１  回路基板
２  回転軸
３  計器本体
４  指針
５  目盛板
６  透光部材
７  見返し板
８  光源
９  枠体
５１  貫通孔
５２  計測値表示部
５２ａ  文字部
５２ｂ  目盛部
５３，５４  地色部
５５  反射層
５６  第１の板面部
５７  第２の板面部
５８  第３の板面部
６１  受光部
６２  受光反射部
６３  反射部
６４  照射部
６５  表面部
６６  遮光部
７１  開口部
９１，９２  反射部
Ｄ  指針式表示部
【図１】
0003928841.tif 000002
【図２】
0003928841.tif 000003